(57)【要約】【課題】本発明は、見栄えを大きく変更せずに、容易に機能を付加できるシャツを提供する。【解決手段】前身頃と、後身頃と、袖を有し、前身頃と後身頃は、生地が脇線を介して接続されており、袖は、筒状であって生地の周方向の一端側と他端側が袖線を介して接続されており、以下の（１）又は（２）の条件を満たす構成とする。（１）前身頃は、前正面身頃と、前正面身頃とは異なる種類の生地又は裁ち方が異なる生地の脇正面身頃を有し、後身頃は、後背面身頃と、後背面身頃とは異なる種類の生地又は裁ち方が異なる生地の脇背面身頃を有し、脇正面身頃と脇背面身頃が接続されて脇線を構成している。（２）袖は、本体袖部と、一端側袖部と、他端側袖部を有し、一端側袖部及び他端側袖部が本体袖部とは異なる種類の生地又は裁ち方が異なる生地で構成されており、さらに、一端側袖部と他端側袖部が接続されて袖線を構成している。【選択図】図３
2020041231.tif 000002
【特許請求の範囲】
【請求項１】
前身頃と、後身頃と、袖を有するシャツであって、
前記前身頃と前記後身頃は、生地が脇線を介して接続されており、
前記袖は、筒状であって生地の周方向の一端側と他端側が袖線を介して接続されており、
以下の（１）又は（２）の条件を満たすことを特徴とするシャツ。
（１）前記前身頃は、前正面身頃と、前記前正面身頃とは異なる種類の生地又は裁ち方が異なる生地の脇正面身頃を有し、前記後身頃は、後背面身頃と、前記後背面身頃とは異なる種類の生地又は裁ち方が異なる生地の脇背面身頃を有し、前記脇正面身頃と前記脇背面身頃が接続されて前記脇線を構成している。
（２）前記袖は、本体袖部と、一端側袖部と、他端側袖部を有し、前記一端側袖部及び前記他端側袖部が前記本体袖部とは異なる種類の生地又は裁ち方が異なる生地で構成されており、さらに、前記一端側袖部と前記他端側袖部が接続されて袖線を構成している。
【請求項２】
前記（１）の条件及び前記（２）の条件を満たすことを特徴とする請求項１に記載のシャツ。
【請求項３】
前記脇線と前記袖線が連続していることを特徴とする請求項２に記載のシャツ。
【請求項４】
少なくとも前記（１）の条件を満たすものであり、
前記脇正面身頃及び前記脇背面身頃は、経糸と緯糸が交差するように織られた生地で構成されるものであり、
前記経糸及び前記緯糸のそれぞれ延び方向が前記脇線の延び方向に対して交差するものであって、前記脇線の延び方向に伸縮可能であることを特徴とする請求項１乃至３のいずれかに記載のシャツ。
【請求項５】
前記前正面身頃及び前記後背面身頃は、経糸と緯糸が交差するように織られた生地で構成されるものであり、
前記前正面身頃及び前記後背面身頃の経糸と緯糸の延び方向は、前記脇正面身頃及び前記脇背面身頃の経糸と緯糸の延び方向と異なっていることを特徴とする請求項４に記載のシャツ。
【請求項６】
少なくとも前記（１）の条件を満たすものであり、
前記脇正面身頃及び前記脇背面身頃のうち少なくとも一方は、機能性生地で構成されていることを特徴とする請求項１乃至３のいずれかに記載のシャツ。
【請求項７】
前記脇正面身頃及び前記脇背面身頃は、最大熱吸収速度が０．２Ｗ／ｃｍ2以上の生地で構成されていることを特徴とする請求項６に記載のシャツ。
【請求項８】
少なくとも前記（２）の条件を満たすものであり、
前記一端側袖部と前記他端側袖部は、経糸と緯糸が交差するように織られた生地で構成されるものであり、
前記経糸及び前記緯糸のそれぞれ延び方向が前記袖線の延び方向に対して交差するものであって、前記袖線の延び方向に伸縮可能であることを特徴とする請求項１乃至３のいずれかに記載のシャツ。
【請求項９】
前記本体袖部は、経糸と緯糸が交差するように織られた生地で構成されるものであり、
前記本体袖部の経糸と緯糸の延び方向は、前記一端側袖部と前記他端側袖部の経糸と緯糸の延び方向と異なっていることを特徴とする請求項８に記載のシャツ。
【請求項１０】
少なくとも前記（２）の条件を満たすものであり、
前記一端側袖部及び前記他端側袖部の少なくとも一方は、機能性生地で構成されていることを特徴とする請求項１乃至３のいずれかに記載のシャツ。
【請求項１１】
前記一端側袖部と前記他端側袖部は、最大熱吸収速度が０．２Ｗ／ｃｍ2以上の生地で構成されていることを特徴とする請求項１０に記載のシャツ。
【発明の詳細な説明】
【技術分野】
【０００１】
本発明は、ドレスシャツやカジュアルシャツ等のシャツに関するものである。
【背景技術】
【０００２】
従来からドレスシャツやカジュアルシャツ等のシャツは、前身頃、後身頃、袖、衿、肩ヨーク等を構成する生地を縫い合わせて形成される（例えば、特許文献１）。
【先行技術文献】
【特許文献】
【０００３】
【特許文献１】特開２０１７−１５００９７号公報
【発明の概要】
【発明が解決しようとする課題】
【０００４】
ところで、近年、シャツの高性能化からシャツに伸縮機能や冷却機能などの所望の機能を付加することが求められている。従来のシャツは、所望の機能を付加する際には、前身頃や後身頃、袖の生地全体を変更していた。しかしながら、生地全体を変更すると、見栄えや着心地が大きく変わることが多く、違和感があるという問題があった。
【０００５】
そこで、本発明は、見栄えを大きく変更せずに、容易に機能を付加できるシャツを提供することを課題とする。
【課題を解決するための手段】
【０００６】
本発明者は、シャツにおける通常使用の際に、脇線や袖線の部分が腕に隠れている場合が多く、他の部分に比べて目立たないことに着目し、脇線部分や袖線部分に機能を付加させることで機能を付加することによる見栄えの低下を抑制できると考えた。
【０００７】
このような考えのもと導き出された請求項１に記載の発明は、前身頃と、後身頃と、袖を有するシャツであって、前記前身頃と前記後身頃は、生地が脇線を介して接続されており、前記袖は、筒状であって生地の周方向の一端側と他端側が袖線を介して接続されており、以下の（１）又は（２）の条件を満たすことを特徴とするシャツである。
（１）前記前身頃は、前正面身頃と、前記前正面身頃とは異なる種類の生地又は裁ち方が異なる生地の脇正面身頃を有し、前記後身頃は、後背面身頃と、前記後背面身頃とは異なる種類の生地又は裁ち方が異なる生地の脇背面身頃を有し、前記脇正面身頃と前記脇背面身頃が接続されて前記脇線を構成している。
（２）前記袖は、本体袖部と、一端側袖部と、他端側袖部を有し、前記一端側袖部及び前記他端側袖部が前記本体袖部とは異なる種類の生地又は裁ち方が異なる生地で構成されており、さらに、前記一端側袖部と前記他端側袖部が接続されて袖線を構成している。
【０００８】
本発明の構成によれば、（１）の条件を満たす場合において、脇正面身頃と前正面身頃との生地の種類又は裁ち方の違いや、脇背面身頃と後背面身頃との生地の種類又は裁ち方の違いにより、脇正面身頃及び脇背面身頃に所定の機能を付与することができる。また本発明の構成によれば、脇線を脇正面身頃と脇背面身頃で形成しており、脇正面身頃と脇背面身頃が前方及び後方から見えにくい位置に配されているので、生地の種類又は裁ち方の違いが目立ちにくい。
同様に本発明の構成によれば、（２）の条件を満たす場合において、一端側袖部及び他端側袖部と本体袖部との生地の種類又は裁ち方の違いにより、一端側袖部及び他端側袖部に所定の機能を付与することができる。また本発明の構成によれば、袖線を一端側袖部及び他端側袖部で形成しており、一端側袖部及び他端側袖部が前方及び後方から見えにくい位置に配されているので、生地の種類又は裁ち方の違いが目立ちにくい。
【０００９】
請求項２に記載の発明は、前記（１）の条件及び前記（２）の条件を満たすことを特徴とする請求項１に記載のシャツである。
【００１０】
本発明の構成によれば、より機能を発揮できる。
【００１１】
請求項３に記載の発明は、前記脇線と前記袖線が連続していることを特徴とする請求項２に記載のシャツである。
【００１２】
本発明の構成によれば、通常のシャツと同様、脇線と袖線が連続しているので、通常のシャツと同様に脇線と袖線を形成できる。そのため、通常のシャツと同様の工程で脇線と袖線を形成できる。
【００１３】
請求項４に記載の発明は、少なくとも前記（１）の条件を満たすものであり、前記脇正面身頃及び前記脇背面身頃は、経糸と緯糸が交差するように織られた生地で構成されるものであり、前記経糸及び前記緯糸のそれぞれ延び方向が前記脇線の延び方向に対して交差するものであって、前記脇線の延び方向に伸縮可能であることを特徴とする請求項１乃至３のいずれかに記載のシャツである。
【００１４】
本発明の構成によれば、脇線の延び方向に伸縮可能であるため、腕を上げたときに、脇線方向に突っ張りにくく、動きやすい。
【００１５】
請求項５に記載の発明は、前記前正面身頃及び前記後背面身頃は、経糸と緯糸が交差するように織られた生地で構成されるものであり、前記前正面身頃及び前記後背面身頃の経糸と緯糸の延び方向は、前記脇正面身頃及び前記脇背面身頃の経糸と緯糸の延び方向と異なっていることを特徴とする請求項４に記載のシャツである。
【００１６】
本発明の構成によれば、脇線方向において脇正面身頃及び脇背面身頃が前正面身頃及び後背面身頃に対して相対的に伸びるため、腕を上げたときにシルエットの崩れを少なくできる。
【００１７】
請求項６に記載の発明は、少なくとも前記（１）の条件を満たすものであり、前記脇正面身頃及び前記脇背面身頃のうち少なくとも一方は、機能性生地で構成されていることを特徴とする請求項１乃至３のいずれかに記載のシャツである。
【００１８】
ここでいう「機能性生地」とは、ストレッチ生地、速乾性生地、撥水性生地、吸水性生地、ＵＶ保護生地、防臭生地、防水性生地などの所定の機能をもつ生地をいう。
【００１９】
本発明の構成によれば、機能性生地を使用しているため、所定の機能を発揮できる。
【００２０】
請求項７に記載の発明は、前記脇正面身頃及び前記脇背面身頃は、最大熱吸収速度が０．２Ｗ／ｃｍ2以上の生地で構成されていることを特徴とする請求項６に記載のシャツ。
【００２１】
ここでいう「最大熱吸収速度（ｑ−ｍａｘ）」は、単位面積あたりに移動する熱流量であり、室温＋２０℃に加熱したセンサーと対象布帛を接触させたときの瞬間的な熱の移動量である。「最大熱吸収速度（ｑ−ｍａｘ）」は、例えば、カトーテック社製の精密迅速熱物性測定装置サーモラボIIＢ（ＫＥＳ−Ｆ７）を用いて測定できる。
【００２２】
本発明の構成によれば、最大熱吸収速度が高いので、肌が接触したときに、涼しさを感じることができる。
【００２３】
請求項８に記載の発明は、少なくとも前記（２）の条件を満たすものであり、前記一端側袖部と前記他端側袖部は、経糸と緯糸が交差するように織られた生地で構成されるものであり、前記経糸及び前記緯糸のそれぞれ延び方向が前記袖線の延び方向に対して交差するものであって、前記袖線の延び方向に伸縮可能であることを特徴とする請求項１乃至３のいずれかに記載のシャツである。
【００２４】
本発明の構成によれば、袖線の延び方向に伸縮可能であるため、肩を上げたときに、袖線方向に突っ張りにくく、動きやすい。
【００２５】
請求項９に記載の発明は、前記本体袖部は、経糸と緯糸が交差するように織られた生地で構成されるものであり、前記本体袖部の経糸と緯糸の延び方向は、前記一端側袖部と前記他端側袖部の経糸と緯糸の延び方向と異なっていることを特徴とする請求項８に記載のシャツである。
【００２６】
本発明の構成によれば、袖線方向において一端側袖部と他端側袖部が本体袖部に対して相対的に伸びるため、腕を上げたときにシルエットの崩れを少なくできる。
【００２７】
請求項１０に記載の発明は、少なくとも前記（２）の条件を満たすものであり、前記一端側袖部及び前記他端側袖部の少なくとも一方は、機能性生地で構成されていることを特徴とする請求項１乃至３のいずれかに記載のシャツである。
【００２８】
本発明の構成によれば、機能性生地を使用しているため、所定の機能を発揮できる。
【００２９】
請求項１１に記載の発明は、前記一端側袖部と前記他端側袖部は、最大熱吸収速度が０．２Ｗ／ｃｍ2以上の生地で構成されていることを特徴とする請求項１０に記載のシャツである。
【００３０】
本発明の構成によれば、最大熱吸収速度が高いので、肌が接触したときに、涼しさを感じることができる。
【発明の効果】
【００３１】
本発明のシャツによれば、見栄えを大きく変更せずに、容易に機能を付加できる。
【図面の簡単な説明】
【００３２】
【図１】本発明の第１実施形態に係るシャツを模式的に示した説明図であり、（ａ）は正面図を表し、（ｂ）は背面図を表す。
【図２】図１のシャツの袖を上げた状態の側面図である。
【図３】図２の脇線付近に注目した側面図である。
【図４】図２の袖線付近に注目した側面図である。
【図５】図１のシャツの前身頃及び後身頃の説明図であり、（ａ）は脇線付近を広げた図であり、（ｂ）は（ａ）の断面斜視図である。
【図６】図１のシャツの袖の説明図であり、（ａ）は袖を広げた図であり、（ｂ）は（ａ）の断面斜視図である。
【図７】本発明の第２実施形態に係るシャツを模式的に示した説明図であり、（ａ）は正面図を表し、（ｂ）は背面図を表す。
【発明を実施するための形態】
【００３３】
以下、本発明の実施形態について詳細に説明する。
【００３４】
本発明の第１実施形態のシャツ１は、図１のように長袖のドレスシャツであり、主要構成部位として、前身頃２ａ，２ｂと、後身頃５と、肩ヨーク６と、袖７ａ，７ｂと、衿８を備え、これらの各部分が裁断した布状の生地を縫製することで形成されている。また、シャツ１は、前身頃２ａ，２ｂと後身頃５が周方向に接続されて脇線１０，１０を形成しており、袖７ａ，７ｂが筒状に丸められて袖線１１，１１を形成している。
そして、本実施形態のシャツ１は、脇線１０，１０付近の生地及び袖線１１，１１付近の生地に特徴の一つがある。
以下、このことを踏まえながら、シャツ１について詳細に説明する。
【００３５】
前身頃２ａ，２ｂは、外郭形状が従来の前身頃と同様のものであり、複数の生地で構成されているところが従来の前身頃と異なる。すなわち、前身頃２ａ，２ｂは、前正面身頃１５と、脇正面身頃１６から構成されている。
前正面身頃１５は、前身頃２ａ，２ｂの正面側の大部分を占める部位であり、前身頃２ａ，２ｂの面積の６０％以上を占めている。
前正面身頃１５は、図３のように、前正面身頃形成生地２０で構成されている。
前正面身頃形成生地２０は、経糸２５と緯糸２６が交差（本実施形態では直交）した平織り生地であり、繊維自体にストレッチ性をもたない布帛生地である。
前正面身頃形成生地２０は、経取り又は緯取りされている。
【００３６】
脇正面身頃１６は、図３のように前正面身頃１５の端部と接続される部位であり、前正面身頃１５の縁に沿って幅をもって延びる部位である。
脇正面身頃１６の幅（周方向の長さ）は、３ｃｍ以上８ｃｍ以下であることが好ましい。この範囲であれば、裁縫しやすく、通常使用時に脇正面身頃１６が目立ちにくい。
【００３７】
脇正面身頃１６は、図３のように、前正面身頃形成生地２０と同一又は同一種類の生地であって、裁ち方が異なる脇正面身頃形成生地３０によって構成されている。
脇正面身頃形成生地３０は、バイアス取りされた生地であり、経糸２５と緯糸２６が斜め方向に延びており、隣接する経糸２５，２５と隣接する緯糸２６，２６とでなす四角形の対角線の方向にストレッチ性を有している。
本実施形態では、脇正面身頃形成生地３０は、正バイアス取りされており、経糸２５と緯糸２６が互いに直交し、緯糸２６が脇線１０，１０の延び方向に対して４５度の角度で傾斜している。
【００３８】
後身頃５は、周方向の両端部が着用者の胴体を囲むように前身頃２ａ，２ｂと接続される部位である。後身頃５は、外郭形状が従来の後身頃と同様のものであり、複数の生地で構成されているところが従来の後身頃と異なる。すなわち、後身頃５は、図１のように、後背面身頃３５と、脇背面身頃３６ａ，３６ｂから構成されている。
後背面身頃３５は、後身頃５の大部分を占める部位であり、後身頃５の面積の６０％以上を占めている。
後背面身頃３５は、図３のように、後背面身頃形成生地４０で構成されている。
後背面身頃形成生地４０は、前正面身頃形成生地２０と同一又は同一種類の生地であって、経糸２５と緯糸２６が交差（本実施形態では直交）した平織り生地であり、繊維自体にストレッチ性をもたない布帛生地である。すなわち、後背面身頃形成生地４０は、前正面身頃形成生地２０と同様、経取り又は緯取りされている。
【００３９】
脇背面身頃３６ａ，３６ｂは、周方向の一方の端部が後背面身頃３５の周方向の両端部のそれぞれと接続され、他方の端部が前身頃２ａ，２ｂの脇正面身頃１６，１６と接続される部位である。脇背面身頃３６ａ，３６ｂは、後背面身頃３５の縁に沿って幅をもって延びている。
脇背面身頃３６ａ，３６ｂの幅（周方向の長さ）は、脇正面身頃１６の幅と同程度であり、３ｃｍ以上８ｃｍ以下であることが好ましい。この範囲であれば、裁縫しやすく、通常使用時に脇背面身頃３６ａ，３６ｂが目立ちにくい。
【００４０】
脇背面身頃３６ａ，３６ｂは、図３のように、後背面身頃形成生地４０と同一又は同一種類の生地であって、裁ち方が異なる脇背面身頃形成生地５０によって構成されている。
脇背面身頃形成生地５０は、バイアス取りされた生地であり、経糸２５と緯糸２６が斜め方向に延びており、隣接する経糸２５，２５と隣接する緯糸２６，２６とでなす四角形の対角線の方向にストレッチ性を有している。
本実施形態では、脇背面身頃形成生地５０は、正バイアス取りされており、経糸２５と緯糸２６が互いに直交し、緯糸２６が脇線１０，１０の延び方向に対して４５度の角度で傾斜している。
【００４１】
肩ヨーク６は、図１（ｂ）のように、肩から背中にかけての切り替え部であり、前身頃２ａ，２ｂと後身頃５と袖７ａ，７ｂと衿８のそれぞれを接続する部位である。
肩ヨーク６は、前身頃２ａ，２ｂ及び後身頃５とともに環状のアームホール１２（図２参照）を構成しており、アームホール１２が袖７ａ，７ｂと接続されている。
【００４２】
袖７ａ，７ｂは、前身頃２ａ，２ｂ、後身頃５、及び肩ヨーク６で構成されるアームホール１２に接続され着用者の腕を囲んで覆う筒状部位である。
袖７ａ，７ｂは、外郭形状が従来の袖と同様のものであり、複数の生地で構成されているところが従来の袖と異なる。すなわち、袖７ａ，７ｂは、図１のように、本体部７０と、剣ボロ７１と、カフス７２を備えている。
【００４３】
本体部７０は、図１のように、本体袖部７５と、一端側袖部７６と、他端側袖部７７を備えている。
本体袖部７５は、本体部７０の大部分を占める部位であり、袖７ａ，７ｂの面積の６０％以上を占めている。
本体袖部７５は、図６（ａ）のように、袖丈方向の端部（アームホール１２とは反対側の端部）から中間部にかけて延びた切り込み部７４を備えている。
本体袖部７５は、図４のように、本体袖部形成生地８０で構成されている。
本体袖部形成生地８０は、前正面身頃形成生地２０と同一又は同一種類の生地であって、経糸２５と緯糸２６が交差（本実施形態では直交）した平織り生地であり、繊維自体にストレッチ性をもたない布帛生地である。すなわち、本体袖部形成生地８０は、前正面身頃形成生地２０と同様、経取り又は緯取りされている。
【００４４】
一端側袖部７６は、図４のように、本体袖部７５の周方向の一方の端部に接続され、幅をもって袖丈方向に延びる帯状部位である。
一端側袖部７６の幅（周方向の長さ）は、３ｃｍ以上８ｃｍ以下であることが好ましい。この範囲であれば、裁縫しやすく、通常使用時に一端側袖部７６が目立ちにくい。
【００４５】
一端側袖部７６は、図４のように、本体袖部形成生地８０と同一又は同一種類の生地であって、裁ち方が異なる一端側袖部形成生地９０によって構成されている。
一端側袖部形成生地９０は、バイアス取りされた生地であり、経糸２５と緯糸２６が斜め方向に延びており、隣接する経糸２５，２５と隣接する緯糸２６，２６とでなす四角形の対角線の方向にストレッチ性を有している。
本実施形態では、一端側袖部形成生地９０は、正バイアス取りされており、経糸２５と緯糸２６が互いに直交し、緯糸２６が袖線１１，１１の延び方向に対して４５度の角度で傾斜している。
【００４６】
他端側袖部７７は、本体袖部７５の周方向の他方の端部に接続され、幅をもって袖丈方向に延びる帯状部位である。
他端側袖部７７の幅（周方向の長さ）は、３ｃｍ以上８ｃｍ以下であることが好ましい。この範囲であれば、裁縫しやすく、通常使用時に他端側袖部７７が目立ちにくい。
【００４７】
他端側袖部７７は、本体袖部形成生地８０と同一又は同一種類の生地であって、裁ち方が異なる他端側袖部形成生地９１によって構成されている。
他端側袖部形成生地９１は、一端側袖部形成生地９０と同様、バイアス取りされた生地であり、経糸２５と緯糸２６が斜め方向に延びており、隣接する経糸２５，２５と隣接する緯糸２６，２６とでなす四角形の対角線の方向にストレッチ性を有している。
本実施形態では、他端側袖部形成生地９１は、正バイアス取りされており、経糸２５と緯糸２６が互いに直交し、緯糸２６が袖線１１，１１の延び方向に対して４５度の角度で傾斜している。
【００４８】
剣ボロ７１は、本体袖部７５の切り込み部７４の縁部を覆うように取り付けられる部位である。
カフス７２は、袖７ａ，７ｂの袖口を構成する部位である。
【００４９】
衿８は、図１のように、肩ヨーク６の上端部及び前身頃２ａ，２ｂの上端部に跨って取り付けられ、着用者の首の周囲を囲む部位である。
【００５０】
続いて、本実施形態のシャツ１の各部位の位置関係について説明する。
【００５１】
前身頃２ａ，２ｂは、図１（ａ）のように、一方の端部に前立て１７が設けられており、他方の端部に後身頃５が接続されている。
前身頃２ａ，２ｂは、図２のように、前立て１７側から後身頃５側に向けて前正面身頃１５、脇正面身頃１６の順に接続されている。前身頃２ａ，２ｂは、図５のように脇正面身頃１６の端部と前正面身頃１５の端部がかがり縫いされており、その内側で脇正面身頃１６と前正面身頃１５が環縫いにより縫製されて縫い目６０が形成されている。
【００５２】
後身頃５は、図１（ｂ）のように、後背面身頃３５が肩ヨーク６の下端部に接続されており、後背面身頃３５の周方向の端部に脇背面身頃３６ａ，３６ｂが接続されている。すなわち、脇背面身頃３６ａ，３６ｂは、肩ヨーク６に接続されていない。
【００５３】
後身頃５は、前身頃２ａ側から前身頃２ｂ側に向けて、脇背面身頃３６ａ、後背面身頃３５、及び脇背面身頃３６ｂの順に接続されている。後身頃５は、図５のように脇背面身頃３６ａ，３６ｂの端部と後背面身頃３５の両端部がそれぞれかがり縫いされており、その内側で脇背面身頃３６ａ，３６ｂと後背面身頃３５が環縫いにより縫製されて縫い目６１，６２が形成されている。
前身頃２ａ，２ｂの脇正面身頃１６，１６は、後身頃５の脇背面身頃３６ａ，３６ｂと接続されて脇線１０，１０が形成されており、脇線１０，１０は、アームホール１２から下方に向けて延びている。
脇正面身頃１６，１６の端部と脇背面身頃３６ａ，３６ｂの端部は、図５のように環縫いにより縫製されて縫い目６３，６４が形成されている。
【００５４】
袖７ａ，７ｂは、図１のように、本体部７０が袖丈方向の一方の端部がアームホール１２に接続され、他方の端部がカフス７２に接続されている。袖７ａ，７ｂは、袖丈方向の本体部７０の一方の端部がアームホール１２に接続されて縫製されており、他方の端部がカフス７２に接続されて縫製されている。
本体部７０は、図２のように、一端側袖部７６が本体袖部７５の周方向の一方の端部に接続されており、他端側袖部７７が本体袖部７５の周方向の他方の端部に接続されている。さらに本体部７０は、一端側袖部７６と他端側袖部７７が接続されて袖線１１を形成しており、袖線１１は、アームホール１２から袖丈方向に延びている。
本体部７０は、図６（ｂ）のように、一端側袖部７６の端部と本体袖部７５の端部がかがり縫いされており、その内側で一端側袖部７６と本体袖部７５が環縫いにより縫製されて縫い目６５が形成されている。同様に、本体部７０は、他端側袖部７７の端部と本体袖部７５の端部がかがり縫いされており、その内側で他端側袖部７７と本体袖部７５が環縫いにより縫製されて縫い目６６が形成されている。本体部７０は、一端側袖部７６の端部と他端側袖部７７の端部がかがり縫いされており、その内側で一端側袖部７６と他端側袖部７７が環縫いにより縫製されて縫い目６７が形成されている。
【００５５】
袖線１１は、端部の位置が脇線１０の端部の位置と概ね一致しており、脇線１０と連続している。
【００５６】
本実施形態のシャツ１によれば、脇背面身頃３６ａ，３６ｂ及び袖部７６，７７の生地をバイアス取りにすることで脇線方向及び袖線方向に伸縮可能となっている。そのため、腕を伸ばしたり、曲げたりする際に、脇背面身頃３６ａ，３６ｂの生地や袖部７６，７７の生地が伸び、窮屈に感じにくく、快適な着心地となる。
また、本実施形態のシャツ１によれば、脇背面身頃３６ａ，３６ｂ及び袖部７６，７７の生地を正バイアス取りしているため、脇線方向及び袖線方向に加えて脇線方向及び袖線方向に対する直交方向にも伸縮可能となっているため、より快適な着心地となる。
【００５７】
本実施形態のシャツ１によれば、脇背面身頃３６ａ，３６ｂ及び袖部７６，７７が脇線１０，１０及び袖線１１，１１に沿って延びているため、前正面身頃１５や本体袖部７５によって脇背面身頃３６ａ，３６ｂ及び袖部７６，７７の大部分が隠れ、見えにくい。
【００５８】
本実施形態のシャツ１によれば、前身頃２ａの脇正面身頃１６と後身頃５の脇背面身頃３６ａ、前身頃２ｂの脇正面身頃１６と後身頃５の脇背面身頃３６ｂをそれぞれ環縫いによって縫製して脇線１０，１０を形成している。そのため、胴回りが伸縮しやすく、快適な着心地となる。
同様に、本実施形態のシャツ１によれば、袖７ａ，７ｂの一端側袖部７６と本体袖部７５、本体袖部７５と他端側袖部７７をそれぞれ環縫いによって縫製して袖線１１，１１を形成しているため、袖回りが伸縮しやすく、快適な着心地となる。
【００５９】
本実施形態のシャツ１によれば、前身頃２ａ，２ｂ及び後身頃５の外郭形状が従来の前身頃及び後身頃と同様の形状である。すなわち、脇線１０，１０の位置が従来の脇線の位置と同様の位置にあるため、あらかじめ前身頃２ａ，２ｂ及び後身頃５を形成することで、これまでの従来の製造工程と同様にして前身頃２ａ，２ｂ及び後身頃５を接続できる。
同様に、袖７ａ，７ｂの本体袖部７５の外郭形状が従来の本体袖部と同様の形状である。すなわち、袖線１１の位置が従来の袖線の位置と同様の位置にあるため、あらかじめ袖７ａ，７ｂの本体袖部７５を形成することで、これまでの従来の製造工程と同様にして袖７ａ，７ｂの本体袖部７５を筒状に接続できる。
【００６０】
続いて、第２実施形態のシャツ１００について説明する。なお、第１実施形態のシャツ１と同様の構成については、同一の付番を付して説明を省略する。
【００６１】
第２実施形態のシャツ１００は、図７で示される脇正面身頃１１６，１１６、脇背面身頃１３６ａ，１３６ｂ及び袖部１７６，１７７の生地が第１実施形態のシャツ１の脇正面身頃１１６，１１６、脇背面身頃３６ａ，３６ｂ及び袖部７６，７７の生地と異なる。
具体的には、シャツ１００の脇正面身頃１１６，１１６、脇背面身頃１３６ａ，１３６ｂ、及び袖部１７６，１７７の生地は、他の生地と異なる生地を使用しており、接触冷感機能を有する機能性生地を使用している。
脇正面身頃１１６，１１６、脇背面身頃１３６ａ，１３６ｂ、及び袖部１７６，１７７の生地は、最大熱吸収速度（ｑ−ｍａｘ）が０．２Ｗ／ｃｍ2以上の生地で構成されていることが好ましく、０．３Ｗ／ｃｍ2以上の生地で構成されていることがより好ましく、０．４Ｗ／ｃｍ2以上の生地で構成されていることがさらに好ましい。
【００６２】
本実施形態のシャツ１００によれば、脇正面身頃１１６，１１６、脇背面身頃１３６ａ，１３６ｂ、及び袖部１７６，１７７を接触冷感の生地で構成しているため、猛暑でもひんやりとした着心地となる。
【００６３】
上記した第１実施形態では、脇正面身頃形成生地３０、脇背面身頃形成生地５０、及び袖部形成生地９０，９１として、繊維自体にストレッチ性がない布帛生地であったが、本発明はこれに限定されるものではない。例えば、ポリウレタン製繊維を含ませることによって、繊維自体にもストレッチ性を持たせてもよい。
【００６４】
上記した第１実施形態では、前正面身頃１５と脇正面身頃１６とで同一色の生地を使用していたが、本発明はこれに限定されるものではない。前正面身頃１５と脇正面身頃１６とで異なる色の生地を使用してもよい。
同様に、後背面身頃３５と脇背面身頃３６ａ，３６ｂとで同一色の生地を使用していたが、本発明はこれに限定されるものではない。後背面身頃３５と脇背面身頃３６ａ，３６ｂとで異なる色の生地を使用してもよい。
本体袖部７５と一端側袖部７６と他端側袖部７７とで同一色の生地を使用していたが、本発明はこれに限定されるものではない。本体袖部７５と一端側袖部７６と他端側袖部７７とで異なる色の生地を使用してもよい。
【００６５】
上記した第２実施形態では、脇正面身頃１１６，１１６、脇背面身頃１３６ａ，１３６ｂ、及び袖部１７６，１７７の生地として接触冷感機能をもつ機能性生地を使用したが、本発明はこれに限定されるものではない。脇正面身頃１１６，１１６、脇背面身頃１３６ａ，１３６ｂ、及び袖部１７６，１７７の生地として他の機能をもつ機能性生地を使用してもよい。例えば、脇正面身頃１１６，１１６、脇背面身頃１３６ａ，１３６ｂ、及び袖部１７６，１７７の生地としてストレッチ生地、速乾性生地、撥水性生地、吸水性生地、ＵＶ保護生地、防臭生地、及び防水性生地の少なくとも一つの生地を使用してもよい。
【００６６】
上記した第２実施形態では、脇正面身頃１１６（１１６）と脇背面身頃１３６ａ（１３６ｂ）の双方に機能性生地を使用していたが、本発明はこれに限定されるものではない。脇正面身頃１１６（１１６）と脇背面身頃１３６ａ（１３６ｂ）のうち一方にのみ機能性生地を使用してもよい。
同様に一端側袖部１７６と他端側袖部１７７の双方に機能性生地を使用していたが、本発明はこれに限定されるものではない。一端側袖部１７６と他端側袖部１７７のうち一方にのみ機能性生地を使用してもよい。
【００６７】
上記した第２実施形態では、脇正面身頃１１６（１１６）と脇背面身頃１３６ａ（１３６ｂ）の双方に同一の機能性生地を使用していたが、本発明はこれに限定されるものではない。脇正面身頃１１６（１１６）と脇背面身頃１３６ａ（１３６ｂ）とで使用する機能性生地を異ならせてもよい。
同様に、一端側袖部１７６と他端側袖部１７７の双方に同一の機能性生地を使用していたが、本発明はこれに限定されるものではない。一端側袖部１７６と他端側袖部１７７とで使用する機能性生地を異ならせてもよい。
【００６８】
上記した実施形態では、各生地２０，３０，４０，５０，８０，９０，９１は、平織りの生地であったが、本発明はこれに限定されるものではない。各生地２０，３０，４０，５０，８０，９０，９１は、綾織りの生地であってもよいし、朱子織の生地であってもよい。
【００６９】
上記した実施形態では、脇線１０と袖線１１が連続していたが、本発明はこれに限定されるものではない。脇線１０は袖線１１に対してわずかにずれていてもよい。
【００７０】
上記した実施形態では、シャツ１として長袖のドレスシャツの場合について説明したが、本発明はこれに限定されるものではない。シャツ１は、カジュアルシャツであってもよい。また、シャツ１は、半袖シャツであってもよい。
【００７１】
上記した実施形態は、本発明の技術的範囲に含まれる限り、各実施形態間で各構成部材を自由に置換や付加できる。
【符号の説明】
【００７２】
１  シャツ
２ａ，２ｂ  前身頃
３  衿
５  後身頃
６  肩ヨーク
７ａ，７ｂ  袖
８  衿
１０  脇線
１１  袖線
１５  前正面身頃
１６  脇正面身頃
２０  前正面身頃形成生地
２５  経糸
２６  緯糸
３０  脇正面身頃形成生地
３５  後背面身頃
３６ａ，３６ｂ  脇背面身頃
４０  後背面身頃形成生地
５０  脇背面身頃形成生地
７０  本体部
７５  本体袖部
７６  一端側袖部
７７  他端側袖部
８０  本体袖部形成生地
９０  一端側袖部形成生地
９１  他端側袖部形成生地
１００  シャツ
【図１】
2020041231.tif 000003
【図２】
2020041231.tif 000004
【図３】
2020041231.tif 000005
【図４】
2020041231.tif 000006
【図５】
2020041231.tif 000007
【図６】
2020041231.tif 000008
【図７】
2020041231.tif 000009